(57)【要約】【課題】複数色の光源からなるローカルディミング制御可能なバックライト装置において、隣接する発光ブロックからの光漏れに起因する色むらの軽減と色再現性の低下の抑制とを両立させる。【解決手段】発光ブロック毎に色むらが発生するか否かを判定し、色むらが発生する場合は隣接するどの発光ブロックが色むらを発生させるかを判定し、色むらが発生する発光ブロックの光源のうち、色むらを発生させると判定された隣接する発光ブロックとの境界に近い位置に配置される所定の一部の光源を補正対象として輝度の補正を行う。補正対象の光源と、色むらを発生させると判定された前記隣接する発光ブロックの複数の光源のうちの前記境界に近い位置に配置されている所定の一部の光源と、を含む所定の境界領域の色味を、色むらを発生させると判定された前記隣接する発光ブロックの色味に近付けるように、補正対象の光源の輝度を補正する。【選択図】図１
2013068905.tif 000002
【特許請求の範囲】
【請求項１】
独立に発光を制御可能な複数の発光ブロックにより分割され、各発光ブロックには複数の発光色の複数の光源が配置されるバックライトと、
入力する画像信号に応じて発光ブロック毎、光源毎に輝度を決定するローカルディミング制御部と、
発光ブロック毎に、前記ローカルディミング制御部により決定された輝度に基づき、隣接する発光ブロックからの光漏れに起因する色味の変化である色むらが発生するか否かを判定するとともに、色むらが発生すると判定された発光ブロックに対し、隣接する複数の発光ブロックのうちどの発光ブロックが色むらを発生させるかを判定する色むら判定部と、
色むらが発生すると判定された発光ブロックの複数の光源のうち、当該発光ブロックに対し色むらを発生させると判定された隣接する発光ブロックとの境界に近い位置に配置されている所定の一部の光源を補正対象として輝度の補正を行う色むら補正部と、
前記補正対象の光源については前記色むら補正部により補正された輝度で発光させ、前記補正対象の光源以外の光源については前記ローカルディミング制御部により決定された輝度で発光させるバックライト制御部と、
を備えるバックライト装置。
【請求項２】
前記色むら補正部は、前記補正対象の光源と、色むらを発生させると判定された前記隣接する発光ブロックの複数の光源のうちの前記境界に近い位置に配置されている所定の一部の光源と、を含む所定の境界領域の色味を、色むらを発生させると判定された前記隣接する発光ブロックの色味に近付けるように、前記補正対象の光源の輝度を補正することを特徴とする請求項１に記載のバックライト装置。
【請求項３】
前記色むら補正部は、前記境界領域の輝度に対する当該境界領域に含まれる各色の光源の輝度の比率を、色むらを発生させると判定された前記隣接する発光ブロックの輝度に対する当該隣接する発光ブロックの各色の光源の輝度の比率に近付けるように、前記補正対象の光源の輝度を補正する請求項２に記載のバックライト装置。
【請求項４】
前記色むら補正部は、色むらを発生させると判定された前記隣接する発光ブロックの光源のうち、前記色むらが発生すると判定された発光ブロックにおいて前記補正対象の光源の各々が配置された位置に対応する位置に配置された光源の輝度と、前記補正対象の光源の各々の輝度と、を重み付け加算することにより、前記補正対象の光源の各々の輝度の補正値を算出する請求項１〜３のいずれか１項に記載のバックライト装置。
【請求項５】
前記色むら補正部は、色むらを発生させると判定された前記隣接する発光ブロックの光源のうち、前記色むらが発生すると判定された発光ブロックにおいて前記補正対象の光源の各々が配置された位置に対応する位置に配置された光源の輝度を、前記補正対象の光源の各々の輝度の補正値とする請求項１〜３のいずれか１項に記載のバックライト装置。
【請求項６】
前記色むら判定部は、色むらが発生するか否かの判定対象の発光ブロックの輝度と比べて、当該判定対象の発光ブロックに隣接する発光ブロックの輝度の方が高い場合に、当該隣接する発光ブロックは当該判定対象の発光ブロックに色むらを発生させると判定する請求項１〜５のいずれか１項に記載のバックライト装置。
【請求項７】
独立に発光を制御可能な複数の発光ブロックにより分割され、各発光ブロックには複数の発光色の複数の光源が配置されるバックライトを備えたバックライト装置の制御方法であって、
入力する画像信号に応じて発光ブロック毎、光源毎に輝度を決定するローカルディミン
グ制御工程と、
発光ブロック毎に、前記ローカルディミング制御工程により決定された輝度に基づき、隣接する発光ブロックからの光漏れに起因する色味の変化である色むらが発生するか否かを判定するとともに、色むらが発生する場合は隣接する複数の発光ブロックのうちどの発光ブロックが色むらを発生させるかを判定する色むら判定工程と、
色むらが発生すると判定された発光ブロックの複数の光源のうち、色むらを発生させると判定された隣接する発光ブロックとの境界に近い位置に配置されている所定の一部の光源を補正対象として輝度の補正を行う色むら補正工程と、
前記補正対象の光源については前記色むら補正工程により補正された輝度で発光させ、前記補正対象の光源以外の光源については前記ローカルディミング制御工程により決定された輝度で発光させるバックライト制御工程と、
を有し、
前記色むら補正工程は、前記補正対象の光源と、色むらを発生させると判定された前記隣接する発光ブロックの複数の光源のうちの前記境界に近い位置に配置されている所定の一部の光源と、を含む所定の境界領域の色味を、色むらを発生させると判定された前記隣接する発光ブロックの色味に近付けるように、前記補正対象の光源の輝度を補正することを特徴とするバックライト装置の制御方法。
【発明の詳細な説明】
【技術分野】
【０００１】
本発明は、バックライト装置及びその制御方法に関するものである。
【背景技術】
【０００２】
従来、バックライトを複数の発光ブロックに分割し、入力された画像信号の輝度レベルに応じて発光ブロック毎に輝度を制御して変化させるローカルディミング制御技術がある。各発光ブロックは１以上の光源（ＬＥＤ等）により構成される。このローカルディミング制御は赤、緑、青の３色のＬＥＤを光源に用いたバックライトにも適用される（特許文献１を参照）。
【０００３】
各発光ブロックが複数色のＬＥＤから構成されるバックライトのローカルディミング制御においては、隣接する発光ブロックからの洩れ光により、発光ブロック毎の色味が少しずつ変化してしまう。特に隣り合う発光ブロックの輝度差が大きい場合、隣接する発光ブロックのＬＥＤの色成分による色むらが発生する。
【０００４】
液晶パネルの領域毎に表示される画像信号を検出し、検出した画像信号から色むらが発生するかを判定し、色むらが発生すると判定された領域に対応する発光ブロックの光源の発光を白色光に近付けることで色むらを軽減する技術がある（特許文献２）。
【先行技術文献】
【特許文献】
【０００５】
【特許文献１】特開２００５−３３８８５７号公報
【特許文献２】特許第４４８７００６号公報
【発明の概要】
【発明が解決しようとする課題】
【０００６】
しかしながら、特許文献１では発光ブロック単位で局所的に輝度及び色を変化させることしか行わない。したがって隣り合う発光ブロックの輝度差が大きくなると、明るく発光する発光ブロック内の特定色ＬＥＤの光が強く洩れ光として出てくる。このため暗く発光する発光ブロックは色味が変化してしまい色むらが発生してしまう。
【０００７】
また、特許文献２では、色むらの発生を検出した領域に対応する発光ブロックが白色光となるように制御し、その発光ブロックの周辺部の発光ブロックの発光色も白色になるよう制御する。この場合、色むらを補正する為に発光ブロックの色味を白にしてしまうため、補正が行われた発光ブロックについては、もともと想定されていた発光色でバックライトを発光させることができなくなる。
【０００８】
また周辺部を含めた発光ブロックを白く発光させても、隣り合う発光ブロックの輝度差が一定以上になると明るく発光する発光ブロック内の特定色ＬＥＤの光が強く洩れ光として出てくるため、色味が変化し色むら発生してしまう。これは、発光ブロックが複数色のＬＥＤから構成される場合、各色のＬＥＤの配置位置により各色の発光中心がずれることに起因している。ある発光ブロックが全体としては白色で発光していても、隣接する発光ブロックへ洩れ出る光の色は、隣接する発光ブロックに最も近い位置に配置されたＬＥＤの色味が強くなる傾向がある。
【０００９】
また特許文献２では、色むらの発生が検出された領域に対応する発光ブロックに隣接する発光ブロック全てにおいて発光を白色光にすべく発光率を変化させてしまうため、色む
らを軽減するための発光率調整の影響を受ける発光ブロックが多い。つまり、もともと想定されていた発光色で発光させることができず色再現性が低下するという課題があった。
【００１０】
そこで、本発明は、複数色の光源からなる発光ブロックに分割され、発光ブロック毎に独立に輝度制御可能なバックライト装置において、隣接する発光ブロックからの光漏れに起因する色むらの軽減と色再現性の低下の抑制とを両立させることを目的とする。
【課題を解決するための手段】
【００１１】
本発明は、独立に発光を制御可能な複数の発光ブロックにより分割され、各発光ブロックには複数の発光色の複数の光源が配置されるバックライトと、
入力する画像信号に応じて発光ブロック毎、光源毎に輝度を決定するローカルディミング制御部と、
発光ブロック毎に、前記ローカルディミング制御部により決定された輝度に基づき、隣接する発光ブロックからの光漏れに起因する色味の変化である色むらが発生するか否かを判定するとともに、色むらが発生すると判定された発光ブロックに対し、隣接する複数の発光ブロックのうちどの発光ブロックが色むらを発生させるかを判定する色むら判定部と、
色むらが発生すると判定された発光ブロックの複数の光源のうち、当該発光ブロックに対し色むらを発生させると判定された隣接する発光ブロックとの境界に近い位置に配置されている所定の一部の光源を補正対象として輝度の補正を行う色むら補正部と、
前記補正対象の光源については前記色むら補正部により補正された輝度で発光させ、前記補正対象の光源以外の光源については前記ローカルディミング制御部により決定された輝度で発光させるバックライト制御部と、
を備えるバックライト装置である。
【００１２】
本発明は、独立に発光を制御可能な複数の発光ブロックにより分割され、各発光ブロックには複数の発光色の複数の光源が配置されるバックライトを備えたバックライト装置の制御方法であって、
入力する画像信号に応じて発光ブロック毎、光源毎に輝度を決定するローカルディミング制御工程と、
発光ブロック毎に、前記ローカルディミング制御工程により決定された輝度に基づき、隣接する発光ブロックからの光漏れに起因する色味の変化である色むらが発生するか否かを判定するとともに、色むらが発生すると判定された発光ブロックに対し、隣接する複数の発光ブロックのうちどの発光ブロックが色むらを発生させるかを判定する色むら判定工程と、
色むらが発生すると判定された発光ブロックの複数の光源のうち、当該発光ブロックに対し色むらを発生させると判定された隣接する発光ブロックとの境界に近い位置に配置されている所定の一部の光源を補正対象として輝度の補正を行う色むら補正工程と、
前記補正対象の光源については前記色むら補正工程により補正された輝度で発光させ、前記補正対象の光源以外の光源については前記ローカルディミング制御工程により決定された輝度で発光させるバックライト制御工程と、
を有するバックライト装置の制御方法である。
【発明の効果】
【００１３】
本発明によれば、複数色の光源からなる発光ブロックに分割され、発光ブロック毎に独立に輝度制御可能なバックライト装置において、隣接する発光ブロックからの光漏れに起因する色むらの軽減と色再現性の低下の抑制とを両立させることができる。
【図面の簡単な説明】
【００１４】
【図１】実施例１における画像表示装置の構成を示したブロック図
【図２】入力画像信号と発光ブロックの時間変化を示した模式図
【図３】一つの発光ブロック内のＬＥＤ配置を示す模式図
【図４】発光ブロック毎の発光輝度の変化を示す模式図
【図５】色むらの発生を判定するフローチャート
【図６】隣接する発光ブロックの配置を示す模式図
【図７】色むら補正処理のフローチャート
【図８】色むら補正処理の適用例を示す模式図
【発明を実施するための形態】
【００１５】
（実施例１）
第１の実施形態について説明する。図１は本発明を適用した画像表示装置の構成を示したブロック図である。
図１の表示制御装置は、ローカルディミング制御部１０１、色むら判定部１０２、色むら補正部１０３、バックライト制御部１０４、バックライト部１０５、表示部１０６、画像処理部１０７で構成される。本実施例では、バックライト部１０５は複数の発光ブロックに分割され、発光ブロック毎に独立に発光を制御可能である。表示部１０６は透過型の液晶パネルであり、入力される画像信号に応じて画素毎にバックライト部１０５からの光の透過率を調節することにより入力される画像信号に基づく映像を表示する。バックライト部１０５の各発光ブロックに対応する表示部１０６の表示領域を以下「分割エリア」と称する。
【００１６】
まず図１においてローカルディミング制御部１０１が入力画像信号から発光ブロック毎の輝度制御値を算出する説明を行う。発光ブロック毎の輝度制御値は、各発光ブロックを構成するＬＥＤの明るさを制御するための輝度制御値である。ここでは、１つの発光ブロックが複数の発光色の光源、すなわち１つの赤色ＬＥＤと、２つの緑色ＬＥＤと、１つの青色ＬＥＤで構成されている場合について説明する。バックライト部１０５において、縦方向にｉ行番目、横方向にｊ列番目の発光ブロック（ｉ，ｊ）内の赤色ＬＥＤの輝度制御値をＢＤ＿Ｒ（ｉ，ｊ）とする。発光ブロック（ｉ，ｊ）の一つ目の緑色ＬＥＤの輝度制御値をＢＤ＿Ｇ１（ｉ，ｊ）、二つ目の緑色ＬＥＤの輝度制御値をＢＤ＿Ｇ２（ｉ，ｊ）、青色ＬＥＤの輝度制御値をＢＤ＿Ｂ（ｉ，ｊ）とする。
【００１７】
図２にローカルディミング制御部１０１に入力される画像信号及び発光ブロックの点灯状態の時間変化の一例を模式的に示す。図２（Ａ）は入力する画像信号のフレーム画像を表し、図２（Ｂ）は図２（Ａ）の各フレーム画像が表示部１０６に表示される場合のバックライト部１０５の各発光ブロックの点灯状態を表す。ここではバックライト部１０５は横５個×縦３個の計１５個の発光ブロックに分割される場合を例示するが、バックライト部１０５の発光ブロックによる分割の仕方はこの限りではない。
【００１８】
ここでは、画像信号のフレーム１０１１では均一な暗い画像が表示されている。また画像信号のフレーム１０１２、フレーム１０１３では前記暗いを背景として画面中央部に明るい風車の画像があり、この風車の羽が時間と共に変化する。このフレーム１０１１の画像信号が入力された場合、ローカルディミング制御部１０１は発光ブロック点灯状態１０１４になるよう各発光ブロックの輝度制御値を算出する。フレーム１０１２，１０１３の画像信号が入力された場合、ローカルディミング制御部１０１は発光ブロック点灯状態１０１５，１０１６になるよう各発光ブロックの輝度制御値を算出する。
【００１９】
この発光ブロック点灯状態１０１４，１０１５，１０１６において斜線で塗りつぶされた一つの四角い枠が暗い輝度制御値で点灯している発光ブロックを示し、白色で塗りつぶされた一つの四角い枠が明るい輝度制御値で点灯している発光ブロックを示す。図２（Ｂ）に示すように、例えば発光ブロック１０１７は、対応する表示部１０６の分割エリアに
入力される画像信号が変化しないが、発光ブロック１０１８は、対応する表示部１０６の分割エリアに入力される画像信号が変化する。
【００２０】
発光ブロック点灯状態１０１５，１０１６では、フレーム１０１２，１０１３の風車の映像が表示される分割エリアに対応する１つの発光ブロック１０１８のみ明るい輝度制御値で点灯した状態であり、時間変化に対して同じエリアがずっと点灯する制御となる。このように、入力する画像信号に基づいてローカルディミング制御部１０１は発光ブロック毎の輝度制御値を算出し、色むら判定部１０２及び色むら補正部１０３へ出力する。
【００２１】
一つの発光ブロック内のＬＥＤ配置を示す模式図を図３に示す。図３に示すように、各発光ブロックは、赤色ＬＥＤ（Ｒ）１０２１、一つ目の緑色ＬＥＤ（Ｇ１）１０２２、二つ目の緑色ＬＥＤ（Ｇ２）１０２３、及び青色ＬＥＤ（Ｂ）１０２４の４個のＬＥＤから構成される。なお、図３では４個のＬＥＤを４個の矩形により模式的に表しているが、実際のＬＥＤは点光源であり、ＬＥＤの発光が点光源の周囲に拡散することにより面光源となる。
【００２２】
図４に、図２の発光ブロック１０１７と発光ブロック１０１８の各色ＬＥＤの発光輝度の変化を示す模式的を示す。図４（ａ）は図２のフレーム１０１１の画像信号が入力された時の発光ブロック１０１７及び１０１８の各色ＬＥＤの発光状態を示す。図４（ｂ）は図２のフレーム１０１２の画像信号が入力された時の発光ブロック１０１７及び１０１８の各色ＬＥＤの発光状態を示す。
【００２３】
色むら判定部１０２は、ローカルディミング制御部１０１から入力されるの各発光ブロックの各色ＬＥＤの輝度制御値ＢＤ＿Ｒ（ｉ，ｊ）、ＢＤ＿Ｇ１（ｉ，ｊ）、ＢＤ＿Ｇ２（ｉ，ｊ）、ＢＤ＿Ｂ（ｉ，ｊ）をもとに各発光ブロックに色むらが発生するか判定する。
【００２４】
図５は色むら判定部１０２がフレーム毎に行う、発光ブロック毎に、隣接する発光ブロックからの光漏れに起因する色味の変化である色むらが発生するかどうかの判定処理を示したフローチャートである。
まずステップＳ１０５１にて色むら判定部１０２は、発光ブロック毎に、赤色ＬＥＤの輝度比率，緑色ＬＥＤの輝度比率，及び青色ＬＥＤの輝度比率を計算し、ステップＳ１０５２へ進む。各色ＬＥＤの輝度比率の計算は式（１）から（４）を用いて行う。ここでは、縦方向にｉ行番目、横方向にｊ列番目の発光ブロックの赤色ＬＥＤの輝度比率，緑色ＬＥＤの輝度比率，及び青色ＬＥＤの輝度比率をそれぞれＲｈ（ｉ，ｊ）、Ｇｈ（ｉ，ｊ）、Ｂｈ（ｉ，ｊ）とする。また縦方向にｉ行番目、横方向にｊ列番目の発光ブロックの輝度をＳｈ（ｉ，ｊ）とする。
【００２５】
Ｓｈ（ｉ，ｊ）＝ＢＤ＿Ｒ（ｉ，ｊ）＋ＢＤ＿Ｇ１（ｉ，ｊ）＋ＢＤ＿Ｇ２（ｉ，ｊ）＋ＢＤ＿Ｂ（ｉ，ｊ）・・・式（１）
Ｒｈ（ｉ，ｊ）＝ＢＤ＿Ｒ（ｉ，ｊ）÷Ｓｈ（ｉ，ｊ）・・・式（２）
Ｇｈ（ｉ，ｊ）＝｛ＢＤ＿Ｇ１（ｉ，ｊ）＋ＢＤ＿Ｇ２（ｉ，ｊ）｝÷Ｓｈ（ｉ，ｊ）・・・式（３）
Ｂｈ（ｉ，ｊ）＝ＢＤ＿Ｂ（ｉ，ｊ）÷Ｓｈ（ｉ，ｊ）・・・式（４）
【００２６】
ステップＳ１０５２では色むら判定部１０２は、発光ブロック毎に、隣接する発光ブロックとの境界領域における赤色ＬＥＤの輝度比率，緑色ＬＥＤの輝度比率，及び青色ＬＥＤの輝度比率を計算し、ステップＳ１０５３へ進む。ここで図６（ａ），（ｂ）を用いてある発光ブロックとそれに隣接する発光ブロックとの境界領域における前記各色ＬＥＤの輝度比率の計算方法を説明する。
【００２７】
図６（ａ）は図２の発光ブロック点灯状態１０１５の場合において、発光ブロック１０１８及びそれに隣接する８個の発光ブロックを抽出した模式図である。図６（ａ）では、発光ブロック１０１８を座標（ｉ，ｊ）とし（縦方向にｉ行番目、横方向にｊ列番目の発光ブロック）、縦方向の座標がｉ−１、ｉ、ｉ＋１、横方向の座標がｊ−１、ｊ、ｊ＋１の３行３列の発光ブロックを示している。図６（ａ）に示す各発光ブロック内の各色ＬＥＤの配置を模式的に図６（ｂ）に示す。以下、発光ブロック１０１８について色むら判定を行う場合を例に説明する。
【００２８】
色むら判定部１０２は、判定対象の発光ブロック（ｉ，ｊ）に隣接する８個の発光ブロック各々について、判定対象の発光ブロック（ｉ，ｊ）に対し色むらを生じさせ得るか否かを判定する。言い換えると、判定対象の発光ブロック（ｉ，ｊ）において、８方向のうちどの方向で色むらが生じるか判定する。８方向は、上下左右、左斜め上、右斜め上、左斜め下、右斜め下である。ここでは、判定対象の発光ブロックと、それに対し左斜め上、右斜め上、左斜め下、右斜め下にある４つの発光ブロックと、についても、「隣接する」という表現を用いる。
【００２９】
まず判定対象の発光ブロック（ｉ，ｊ）と、それに左斜め上方向で隣接する発光ブロック（ｉ−１，ｊ−１）と、の間の境界領域における赤色ＬＥＤの輝度比率，緑色ＬＥＤの輝度比率，及び青色ＬＥＤの輝度比率を計算する例を示す。判定対象の発光ブロック（ｉ，ｊ）と隣接する発光ブロック（ｉ−１，ｊ−１）との間の境界領域は図６（ｂ）の実線１６０１で囲われた領域である。この境界領域は、次の４個のＬＥＤを含む。判定対象の発光ブロック（ｉ，ｊ）の赤色ＬＥＤ、上方向の隣接発光ブロック（ｉ−１，ｊ）の緑色ＬＥＤ（Ｇ２）、左斜め上方向の隣接発光ブロック（ｉ−１，ｊ−１）の青色ＬＥＤ、左方向の隣接発光ブロック（ｉ，ｊ−１）の緑色ＬＥＤ（Ｇ１）である。この境界領域１６０１における赤色ＬＥＤの輝度比率，緑色ＬＥＤの輝度比率，及び青色ＬＥＤの輝度比率をそれぞれ、Ｒｈ００（ｉ，ｊ）、Ｇｈ００（ｉ，ｊ）、Ｂｈ００（ｉ，ｊ）とし、判定対象の発光ブロック（ｉ，ｊ）の輝度をＳｈ００（ｉ，ｊ）とする。
【００３０】
ここで符号「００」は、判定対象の発光ブロックとそれに隣接する８個の発光ブロックとの間に定義される８個の境界領域のうち左上から数えて縦方向に０番目、横方向に０番目の境界領域であることを示す。同様に、判定対象の発光ブロック（ｉ，ｊ）と発光ブロック（ｉ−１，ｊ）との間の境界領域は符号０１で表す。判定対象の発光ブロック（ｉ，ｊ）と発光ブロック（ｉ−１，ｊ＋１）との間の境界領域は符号０２で表す。判定対象の発光ブロック（ｉ，ｊ）と発光ブロック（ｉ，ｊ−１）との間の境界領域は符号１０で表す。判定対象の発光ブロック（ｉ，ｊ）と発光ブロック（ｉ，ｊ＋１）との間の境界領域は符号１１で表す。判定対象の発光ブロック（ｉ，ｊ）と発光ブロック（ｉ＋１，ｊ−１）との間の境界領域は符号２０で表す。判定対象の発光ブロック（ｉ，ｊ）と発光ブロック（ｉ＋１，ｊ）との間の境界領域は符号２１で表す。判定対象の発光ブロック（ｉ，ｊ）と発光ブロック（ｉ＋１，ｊ＋１）との間の境界領域は符号２２で表す。
【００３１】
境界領域００の輝度比率計算で用いる青色ＬＥＤの輝度としては、左斜め上方向で隣接する発光ブロック（ｉ−１，ｊ−１）の青色ＬＥＤの輝度ＢＤ＿Ｂ（ｉ−１，ｊ−１）を用いる。また、緑色ＬＥＤの輝度としては、上方向で隣接する発光ブロック（ｉ−１，ｊ）の第２の緑色ＬＥＤの輝度ＢＤ＿Ｇ２（ｉ−１，ｊ）、左方向で隣接する発光ブロック（ｉ，ｊ−１）の第１の緑色ＬＥＤの輝度ＢＤ＿Ｇ１（ｉ，ｊ−１）を用いる。また赤色ＬＥＤの輝度としては判定対象の発光ブロック（ｉ，ｊ）の赤色ＬＥＤの輝度ＢＤ＿Ｒ（ｉ，ｊ）を用いる。
【００３２】
境界領域００の赤色ＬＥＤの輝度比率Ｒｈ００（ｉ，ｊ）、緑色ＬＥＤの輝度Ｇｈ００
（ｉ，ｊ）、青色ＬＥＤの輝度比率Ｂｈ００（ｉ，ｊ）と、境界領域００の輝度Ｓｈ００（ｉ，ｊ）を求める計算式を次式（５）から（８）に示す。
Ｓｈ００（ｉ，ｊ）＝ＢＤ＿Ｒ（ｉ，ｊ）＋ＢＤ＿Ｇ２（ｉ−１，ｊ）＋ＢＤ＿Ｇ１（ｉ，ｊ−１）＋ＢＤ＿Ｂ（ｉ−１，ｊ−１）・・・式（５）
Ｒｈ００（ｉ，ｊ）＝ＢＤ＿Ｒ（ｉ，ｊ）÷Ｓｈ００（ｉ，ｊ）・・・式（６）
Ｇｈ００（ｉ，ｊ）＝｛ＢＤ＿Ｇ１（ｉ，ｊ−１）＋ＢＤ＿Ｇ２（ｉ−１，ｊ）｝÷Ｓｈ００（ｉ，ｊ）・・・式（７）
Ｂｈ００（ｉ，ｊ）＝ＢＤ＿Ｂ（ｉ−１，ｊ−１）÷Ｓｈ００（ｉ，ｊ）・・・式（８）
【００３３】
同様にして、色むら判定部１０２は、判定対象の発光ブロック（ｉ，ｊ）と隣接する残り７個の発光ブロックとの間の境界領域における各色ＬＥＤの輝度比率計算を行う。
【００３４】
判定対象の発光ブロック（ｉ，ｊ）と発光ブロック（ｉ−１，ｊ）との境界領域０１における各色ＬＥＤの輝度比率はＲｈ０１（ｉ，ｊ）、Ｇｈ０１（ｉ，ｊ）、Ｂｈ０１（ｉ，ｊ）、境界領域０１の輝度をＳｈ０１（ｉ，ｊ）とする。
判定対象の発光ブロック（ｉ，ｊ）と発光ブロック（ｉ−１，ｊ＋１）との境界領域０２における各色ＬＥＤの輝度比率はＲｈ０２（ｉ，ｊ）、Ｇｈ０２（ｉ，ｊ）、Ｂｈ０２（ｉ，ｊ）、境界領域０２の輝度をＳｈ０２（ｉ，ｊ）とする。
判定対象の発光ブロック（ｉ，ｊ）と発光ブロック（ｉ，ｊ−１）との境界領域１０における各色ＬＥＤの輝度比率はＲｈ１０（ｉ，ｊ）、Ｇｈ１０（ｉ，ｊ）、Ｂｈ１０（ｉ，ｊ）、境界領域１０の輝度をＳｈ１０（ｉ，ｊ）とする。
判定対象の発光ブロック（ｉ，ｊ）と発光ブロック（ｉ，ｊ＋１）との境界領域１１における各色ＬＥＤの輝度比率はＲｈ１１（ｉ，ｊ）、Ｇｈ１１（ｉ，ｊ）、Ｂｈ１１（ｉ，ｊ）、境界領域１１の輝度をＳｈ１１（ｉ，ｊ）とする。
判定対象の発光ブロック（ｉ，ｊ）と発光ブロック（ｉ＋１，ｊ−１）との境界領域２０における各色ＬＥＤの輝度比率はＲｈ２０（ｉ，ｊ）、Ｇｈ２０（ｉ，ｊ）、Ｂｈ２０（ｉ，ｊ）、境界領域２０の輝度をＳｈ２０（ｉ，ｊ）とする。
判定対象の発光ブロック（ｉ，ｊ）と発光ブロック（ｉ＋１，ｊ）との境界領域２１における各色ＬＥＤの輝度比率はＲｈ２１（ｉ，ｊ）、Ｇｈ２１（ｉ，ｊ）、Ｂｈ２１（ｉ，ｊ）、境界領域２１の輝度をＳｈ２１（ｉ，ｊ）とする。
判定対象の発光ブロック（ｉ，ｊ）と発光ブロック（ｉ＋１，ｊ＋１）との境界領域２２における各色ＬＥＤの輝度比率はＲｈ２２（ｉ，ｊ）、Ｇｈ２２（ｉ，ｊ）、Ｂｈ２２（ｉ，ｊ）、境界領域２２の輝度をＳｈ２２（ｉ，ｊ）とする。
【００３５】
ステップＳ１０５３では、色むら判定部１０２は、判定対象の発光ブロック（ｉ，ｊ）の各色ＬＥＤの輝度比率と、判定対象の発光ブロック（ｉ，ｊ）と隣接する発光ブロックとの間の境界領域における各色ＬＥＤの輝度比率と、の差分を計算する。色むら判定部１０２は、判定対象の発光ブロック（ｉ，ｊ）に対する８方向の境界領域の各々の輝度比率について判定対象の発光ブロック（ｉ，ｊ）の輝度比率との差分を計算し、ステップＳ１０５４へ進む。色むら判定部１０２は、判定対象の発光ブロック（ｉ，ｊ）の各色ＬＥＤの輝度比率として、ステップＳ１０５１で計算したものを用いる。また、色むら判定部１０２は、８方向の境界領域の各々における各色ＬＥＤの輝度比率として、ステップＳ１０５２で計算したものを用いる。
【００３６】
図６（ａ）において、判定対象の発光ブロック（ｉ，ｊ）の各色ＬＥＤの輝度比率と、判定対象の発光ブロック（ｉ，ｊ）と隣接発光ブロック（ｉ−１，ｊ−１）との間の境界領域００における各色ＬＥＤの輝度比率と、の差分を計算する例を示す。ここで、赤色Ｌ
ＥＤの輝度比率の差分をＣＲ００（ｉ，ｊ）、緑色ＬＥＤの輝度比率の差分をＣＧ００（ｉ，ｊ）、青色ＬＥＤの輝度比率の差分をＣＢ００（ｉ，ｊ）とする。これらの差分値ＣＲ００（ｉ，ｊ）、ＣＧ００（ｉ，ｊ）、ＣＢ００（ｉ，ｊ）を求める計算式を次式（９）から（１１）に示す。
ＣＲ００（ｉ，ｊ）＝｜１−Ｒｈ００（ｉ，ｊ）／Ｒｈ（ｉ，ｊ）｜・・・・・式（９）
ＣＧ００（ｉ，ｊ）＝｜１−Ｇｈ００（ｉ，ｊ）／Ｇｈ（ｉ，ｊ）｜・・・・・式（１０）
ＣＢ００（ｉ，ｊ）＝｜１−Ｂｈ００（ｉ，ｊ）／Ｂｈ（ｉ，ｊ）｜・・・・・式（１１）
【００３７】
次にステップＳ１０５４では、色むら判定部１０２は、ステップＳ１０５３で計算した赤色ＬＥＤの輝度比率の差分ＣＲ００（ｉ，ｊ）が閾値ＨＲｔｈ以上かどうかを判定する。閾値ＨＲｔｈは赤の色むらが発生するかどうかを判定する閾値である。色むら判定部１０２は、ステップＳ１０５３で計算した赤色ＬＥＤの輝度比率の差分ＣＲ００（ｉ，ｊ）がＨＲｔｈ以上であればステップＳ１０５７へ進み、ＨＲｔｈより小さい値であればステップＳ１０５５へ進む。
【００３８】
ステップＳ１０５５では、色むら判定部１０２は、ステップＳ１０５３で計算した緑色ＬＥＤの輝度比率の差分ＣＧ００（ｉ，ｊ）が閾値ＨＧｔｈ以上かどうかを判定する。閾値ＨＧｔｈは緑の色むらが発生するかどうかを判定する閾値である。色むら判定部１０２は、ステップＳ１０５３で計算した緑色ＬＥＤの輝度比率の差分ＣＧ００（ｉ，ｊ）がＨＧｔｈ以上であればステップＳ１０５７へ進み、ＨＧｔｈより小さい値であればステップＳ１０５６へ進む。
【００３９】
ステップＳ１０５６では、色むら判定部１０２は、ステップＳ１０５３で計算した青色ＬＥＤの輝度比率の差分ＣＢ００（ｉ，ｊ）が閾値ＨＢｔｈ以上かどうかを判定する。閾値ＨＢｔｈは緑の色むらが発生するかどうかを判定する閾値である。色むら判定部１０２は、ステップＳ１０５３で計算した青色ＬＥＤの輝度比率の差分ＣＢ００（ｉ，ｊ）がＨＢｔｈ以上であればステップＳ１０５７へ進み、ＨＢｔｈより小さい値であればステップＳ１０５８へ進む。
【００４０】
ステップＳ１０５７では、色むら判定部１０２は、ステップＳ１０５１で計算した判定対象の発光ブロックの輝度が、ステップＳ１０５１で計算した隣接発光ブロックの輝度Ｓｈ（ｉ−１，ｊ−１）より小さいか否かを判定する。色むら判定部１０２は、判定対象の発光ブロックの輝度−隣接発光ブロックの輝度＜０となる場合はステップＳ１０５９へ進み、判定対象の発光ブロックの輝度−隣接発光ブロックの輝度≧０となる場合はステップＳ１０５８へ進む。
【００４１】
ステップＳ１０５８では、色むら判定部１０２は、境界領域００の方向（隣接発光ブロック（ｉ−１，ｊ−１）の方向）の色むら判定値を０とし、ステップＳ１０６０へ進む。ある方向の色むら判定値が０の場合、色むら判定部１０２が、その方向の隣接発光ブロックからの光漏れに起因する色むらが判定対象の発光ブロックに生じることはないと判定したことを意味する。
【００４２】
ステップＳ１０５９では、色むら判定部１０２は、境界領域００の方向（隣接発光ブロック（ｉ−１，ｊ−１）の方向）の色むら判定値を１とし、ステップＳ１０６０へ進む。ある方向の色むら判定値が１の場合、色むら判定部１０２が、その方向の隣接発光ブロッ
クからの光漏れに起因する色むらが判定対象の発光ブロックに生じると判定したことを意味する。
【００４３】
以下、判定対象の発光ブロック（ｉ，ｊ）に対し、境界領域００方向（発光ブロック（ｉ−１，ｊ−１）方向）の色むら判定値をＴＵＬ（ｉ，ｊ）とする。境界領域０１方向（発光ブロック（ｉ−１，ｊ）方向）の色むら判定値をＴＵ（ｉ，ｊ）とする。境界領域０２方向（発光ブロック（ｉ−１，ｊ＋１）方向）の色むら判定値をＴＵＲ（ｉ，ｊ）とする。境界領域１０方向（発光ブロック（ｉ，ｊ−１）方向）の色むら判定値をＴＬ（ｉ，ｊ）とする。境界領域１１方向（発光ブロック（ｉ，ｊ＋１）方向）の色むら判定値をＴＲ（ｉ，ｊ）とする。境界領域２０方向（発光ブロック（ｉ＋１，ｊ−１）方向）の色むら判定値をＴＤＬ（ｉ，ｊ）とする。境界領域２１方向（発光ブロック（ｉ＋１，ｊ）方向）の色むら判定値をＴＤ（ｉ，ｊ）とする。境界領域２２方向（発光ブロック（ｉ＋１，ｊ＋１）方向）の色むら判定値をＴＤＲ（ｉ，ｊ）とする。
【００４４】
ステップＳ１０６０では、色むら判定部１０２は、判定対象の発光ブロックの８方向の隣接発光ブロック全てについて上記の色むら判定が終了したか判定を行う。色むら判定部１０２は、８方向全ての方向で色むら判定が終了すればステップＳ１０６１へ進み、終了していなければステップＳ１０５３に戻る。
ステップＳ１０６１では、色むら判定部１０２は、全発光ブロックについて上記の色むら判定が終了したか判定を行い、全発光ブロックで色むら判定が終了していればステップＳ１０６２へ進み、終了していなければステップＳ１０５３へ戻る。
ステップＳ１０６２では、色むら判定部１０２は、色むら補正部１０３に対して各発光ブロックの各方向の色むら判定値を出力する。
【００４５】
このように、本実施例では、判定対象の発光ブロックの各色ＬＥＤの輝度比率と、判定対象の発光ブロックと隣接発光ブロックとの間の境界領域における各色ＬＥＤの輝度比率と、の差分を計算する。そして、この差分が、少なくともいずれかの色の光源について所定の閾値以上であるか否かによって隣接発光ブロックの方向毎に色むらが発生するか判定する。８方向の色むら判定値ＴＵＬ，ＴＵ，ＴＵＲ，ＴＬ，ＴＲ，ＴＤＬ，ＴＤ，ＴＤＲの少なくとも１つが１である発光ブロックは、色むらが発生する発光ブロックと判定される。
【００４６】
色むら補正部１０３は、ローカルディミング制御部１０１から入力される各発光ブロックの輝度制御値と、色むら判定部１０２から入力される色むら判定値をもとに、各発光ブロックの輝度制御値の補正値である輝度補正制御値を計算する。色むら補正部１０３は、計算した輝度補正制御値を、バックライト制御部１０４へ出力する。バックライト制御部１０４は、色むら補正部１０３から入力される輝度補正制御値に基づきバックライト部１０５の各発光ブロックのＬＥＤを発光させる。発光ブロック（ｉ，ｊ）の赤色ＬＥＤの輝度補正制御値をＤ＿Ｒ（ｉ，ｊ），緑色ＬＥＤ（Ｇ１）の輝度補正制御値をＤ＿Ｇ１（ｉ，ｊ），緑色ＬＥＤ（Ｇ２）の輝度補正制御値をＤ＿Ｇ２（ｉ，ｊ），青色ＬＥＤの輝度補正制御値をＤ＿Ｂ（ｉ，ｊ）とする。
【００４７】
以下にフレーム毎に各発光ブロックの各色ＬＥＤの輝度補正制御値を計算し、色むら補正する制御について図７のフローチャートと図８の模式図を用いて説明する。
図７は各発光ブロックの各色ＬＥＤの輝度補正制御値を算出する処理を示したフローチャートである。
まずステップＳ１７０１では、色むら補正部１０３は、補正対象の発光ブロックの座標ｉ、ｊを０に初期化する。ｉは縦方向（行方向）の座標をカウントする変数とし、ｊは横方向（列方向）の座標をカウントする変数とする。
【００４８】
ステップＳ１７０２では、色むら補正部１０３は、補正対象の発光ブロック（ｉ，ｊ）の色むら判定値ＴＬ（ｉ，ｊ）とＴＲ（ｉ，ｊ）が１かどうかを判定する。色むら補正部１０３は、色むら判定値ＴＬ（ｉ，ｊ）とＴＲ（ｉ，ｊ）の少なくともいずれかが１の場合はステップＳ１７０３へ進み、両方とも０の場合はステップＳ１７０４へ進む。
【００４９】
ステップＳ１７０３では、色むら補正部１０３は、補正対象の発光ブロック（ｉ，ｊ）は左右方向では色むらが発生しないと判定し、発光ブロック（ｉ，ｊ）の輝度制御値をそのまま発光ブロック（ｉ，ｊ）の輝度補正制御値とする。すなわち、色むら補正部１０３は、ローカルディミング制御部１０１より入力された発光ブロック（ｉ，ｊ）各色ＬＥＤの輝度制御値を、発光ブロック（ｉ，ｊ）各色ＬＥＤの輝度補正制御値としてそのまま出力し、ステップＳ１７０５へ進む。すなわち、色むら補正部１０３は、ＢＤ＿Ｒ（ｉ，ｊ）、ＢＤ＿Ｇ１（ｉ，ｊ）、ＢＤ＿Ｇ２（ｉ，ｊ）、ＢＤ＿Ｂ（ｉ，ｊ）をそれぞれそのままＤ＿Ｒ（ｉ，ｊ）、Ｄ＿Ｇ１（ｉ，ｊ）、Ｄ＿Ｇ２（ｉ，ｊ）、Ｄ＿Ｂ（ｉ，ｊ）として出力する。
【００５０】
ステップＳ１７０４では、色むら補正部１０３は、補正対象の発光ブロック（ｉ，ｊ）は左右方向で色むらが発生すると判定し、発光ブロック（ｉ，ｊ）に対して、色むらが発生する方向に応じた輝度補正制御値を算出し、ステップＳ１７０５に進む。
【００５１】
まず色むら判定値ＴＬ（ｉ，ｊ）が１となる場合、すなわち左方向の色むらが発生する場合の輝度補正制御値の計算方法について説明する。
色むら補正部１０３は、補正対象の発光ブロック（ｉ，ｊ）の各色ＬＥＤのうち、左隣の発光ブロック（ｉ，ｊ−１）との境界領域１０に含まれる一部のＬＥＤ（赤色ＬＥＤ（Ｒ）と緑色ＬＥＤ（Ｇ２））を補正対象として輝度補正制御値を算出する。色むら補正部１０３は、境界領域１０の色味が左隣の発光ブロック（ｉ，ｊ−１）の色味に近付くように補正対象のＬＥＤの輝度補正制御値を計算する。色むら補正部１０３は、境界領域１０の輝度に対する当該境界領域１０に含まれる各色光源の輝度比率を、左隣の発光ブロックの輝度に対する当該左隣の発光ブロックに含まれる各色光源の輝度比率に近付けるように、補正対象のＬＥＤの輝度補正制御値を計算する。なお、後述するように、バックライト制御部１０４は、補正対象の光源以外の光源については、ローカルディミング制御部１０１が出力した輝度制御値に基づいて発光させる。
【００５２】
色むら補正部１０３は、補正対象の発光ブロック（ｉ，ｊ）の赤色ＬＥＤの輝度補正制御値Ｄ＿Ｒ（ｉ，ｊ）を、次のように計算する。すなわち、色むら補正部１０３は、補正対象の発光ブロック（ｉ，ｊ）の赤色ＬＥＤの輝度制御値ＢＤ＿Ｒ（ｉ，ｊ）と、左隣の発光ブロック（ｉ，ｊ−１）の赤色ＬＥＤの輝度制御値ＢＤ＿Ｒ（ｉ，ｊ−１）と、を重み付け加算する。
また、色むら補正部１０３は、補正対象の発光ブロック（ｉ，ｊ）の緑色ＬＥＤ（Ｇ２）の輝度補正制御値Ｄ＿Ｇ２（ｉ，ｊ）を、次のように計算する。すなわち、色むら補正部１０３は、補正対象の発光ブロック（ｉ，ｊ）の緑色ＬＥＤ（Ｇ２）の輝度制御値ＢＤ＿Ｇ２（ｉ，ｊ）と、左隣の発光ブロック（ｉ，ｊ−１）の緑色ＬＥＤ（Ｇ２）の輝度制御値ＢＤ＿Ｇ２（ｉ，ｊ−１）と、を重み付け加算する。
【００５３】
一方、色むら補正部１０３は、補正対象の発光ブロック（ｉ，ｊ）の各色ＬＥＤのうち、左隣の発光ブロック（ｉ，ｊ−１）との境界領域１０に含まれないＬＥＤ（緑色ＬＥＤ（Ｇ１）と青色ＬＥＤ（Ｂ））の輝度補正制御値については、次のように計算する。
すなわち、色むら補正部１０３は、ローカルディミング制御部１０１から入力された補正対象の発光ブロック（ｉ，ｊ）の緑色ＬＥＤ（Ｇ１）の輝度制御値ＢＤ＿Ｇ１（ｉ，ｊ）をそのまま緑色ＬＥＤ（Ｇ１）の輝度補正制御値Ｄ＿Ｇ１（ｉ，ｊ）とする。
また、色むら補正部１０３は、ローカルディミング制御部１０１から入力された補正対
象の発光ブロック（ｉ，ｊ）の青色ＬＥＤの輝度制御値ＢＤ＿Ｂ（ｉ，ｊ）をそのまま青色ＬＥＤの輝度補正制御値Ｄ＿Ｂ（ｉ，ｊ）とする。
【００５４】
ＴＬ（ｉ，ｊ）が１となる場合の輝度補正制御値の計算式を次式（１２）から（１５）に示す。
Ｄ＿Ｒ（ｉ，ｊ）＝α×ＢＤ＿Ｒ（ｉ，ｊ−１）＋（１−α）×ＢＤ＿Ｒ（ｉ，ｊ）・・・・・式（１２）
Ｄ＿Ｇ１（ｉ，ｊ）＝ＢＤ＿Ｇ１（ｉ，ｊ）・・・・・式（１３）
Ｄ＿Ｇ２（ｉ，ｊ）＝β×ＢＤ＿Ｇ２（ｉ，ｊ−１）＋（１−β）×ＢＤ＿Ｇ２（ｉ，ｊ）・・・・式（１４）
Ｄ＿Ｂ（ｉ，ｊ）＝ＢＤ＿Ｂ（ｉ，ｊ）・・・・・式（１５）
【００５５】
αは赤色ＬＥＤの補正量を変化させる定数である。α＝１の場合は、左隣の発光ブロック（ｉ，ｊ−１）の赤色ＬＥＤの輝度制御値ＢＤ＿Ｒ（ｉ，ｊ−１）がそのまま補正対象の発光ブロック（ｉ，ｊ）の赤色ＬＥＤの輝度補正制御値Ｄ＿Ｒ（ｉ，ｊ）となる。
βは緑色ＬＥＤの補正量を変化させる定数である。β＝１の場合は、左隣の発光ブロック（ｉ，ｊ−１）の緑色ＬＥＤの輝度制御値ＢＤ＿Ｇ２（ｉ，ｊ−１）がそのまま補正対象の発光ブロック（ｉ，ｊ）の緑色ＬＥＤの輝度補正制御値Ｄ＿Ｇ２（ｉ，ｊ）となる。
α及びβが１の場合、境界領域１０と左隣の発光ブロック（ｉ，ｊ−１）とで赤色ＬＥＤの輝度比率、緑色ＬＥＤの輝度比率、青色ＬＥＤの輝度比率がそれぞれ等しくなる。
【００５６】
補正対象の発光ブロック（ｉ，ｊ）に対し左隣の発光ブロック（ｉ，ｊ−１）が高輝度の場合、高輝度の左隣の発光ブロック（ｉ，ｊ−１）から低輝度の補正対象の発光ブロック（ｉ，ｊ）へ、光漏れが生じる。この光漏れは、左隣の発光ブロック（ｉ，ｊ−１）のＬＥＤのうち補正対象の発光ブロック（ｉ，ｊ）との境界に近い位置に配置されたＬＥＤ由来の光漏れである。この光漏れに起因して補正対象の発光ブロック（ｉ，ｊ）における左隣の発光ブロック（ｉ，ｊ−１）との境界に近い領域は色味が変化して色むらが生じる。しかし、上記のように計算された輝度補正制御値に基づき補正対象の発光ブロック（ｉ，ｊ）の各色ＬＥＤが発光することにより、この色むらが抑制される。これは、補正対象の発光ブロック（ｉ，ｊ）と左隣の発光ブロック（ｉ，ｊ−１）との間の境界領域１０における各色ＬＥＤの輝度比率が、左隣の発光ブロック（ｉ，ｊ−１）における各色ＬＥＤの輝度比率と等しくなるためである。
【００５７】
α及びβを１より小さくすると補正対象の発光ブロック（ｉ，ｊ）のＬＥＤのうち左隣の発光ブロック（ｉ，ｊ−１）との境界に近い位置に配置されたＬＥＤ（Ｒ，Ｇ２）の輝度制御値の補正量が小さくなる。しかし、境界領域１０の各色ＬＥＤの輝度比率と左隣の発光ブロック（ｉ，ｊ−１）の各色ＬＥＤの輝度比率とが、α及びβの値に応じた程度でそれぞれ近い値になるため、補正対象の発光ブロック（ｉ，ｊ）における色むらが抑制される。係数α及びβは予め定められた値であっても良いし、ユーザが０＜α≦１、０＜β≦１の範囲内で任意に設定可能であっても良い。
【００５８】
つぎにＴＲ（ｉ，ｊ）が１の場合の輝度補正制御値の計算式を次式（１６）から（１９）に示す。
Ｄ＿Ｒ（ｉ，ｊ）＝ＢＤ＿Ｒ（ｉ，ｊ）・・・・・式（１６）
Ｄ＿Ｇ１（ｉ，ｊ）＝β×ＢＤ＿Ｇ１（ｉ，ｊ＋１）＋（１−β）×ＢＤ＿Ｇ１（ｉ，ｊ）・・・・式（１７）
Ｄ＿Ｇ２（ｉ，ｊ）＝ＢＤ＿Ｇ２（ｉ，ｊ）・・・・・式（１８）
Ｄ＿Ｂ（ｉ，ｊ）＝γ×ＢＤ＿Ｂ（ｉ，ｊ＋１）＋（１−γ）×ＢＤ＿Ｂ（ｉ，ｊ）・・・・・式（１９）
【００５９】
γは青色ＬＥＤの補正量を変化させる定数である。γ＝１の場合は、右隣の発光ブロック（ｉ，ｊ＋１）の青色ＬＥＤの輝度制御値ＢＤ＿Ｂ（ｉ，ｊ＋１）がそのまま補正対象の発光ブロック（ｉ，ｊ）の青色ＬＥＤの輝度補正制御値Ｄ＿Ｂ（ｉ，ｊ）となる。βやγを１より小さくすると補正対象の発光ブロック（ｉ，ｊ）のＬＥＤのうち右隣の発光ブロック（ｉ，ｊ＋１）との境界に近い位置に配置されたＬＥＤ（Ｇ１，Ｂ）の輝度制御値の補正量が小さくなる。しかし、境界領域１１の各色ＬＥＤの輝度比率と右隣の発光ブロック（ｉ，ｊ＋１）の各色ＬＥＤの輝度比率とが、β及びγの値に応じた程度でそれぞれ近い値になるため、補正対象の発光ブロック（ｉ，ｊ）における色むらが抑制される。
【００６０】
ステップＳ１７０５では、色むら補正部１０３は、発光ブロックの列カウント値ｊが最大値になったかどうかを判定し、ｊが最大値ではない場合はステップＳ１７０６へ進み、ｊが最大値の場合にはステップＳ１７０７に進む。
ステップＳ１７０６では、色むら補正部１０３は、列カウント値ｊをインクリメント処理してステップＳ１７０２へ進む。
ステップＳ１７０７では、色むら補正部１０３は、行カウント値ｉが最大値になったかどうかを判定し、ｉが最大値でない場合はステップＳ１７０８へ進み、ｉが最大値の場合にはステップＳ１７０９へ進む。
ステップＳ１７０８では、色むら補正部１０３は、行カウント値ｉをインクリメント処理し、ｊを０に初期化してステップＳ１７０２へ進む。
【００６１】
ステップＳ１７０９では、色むら補正部１０３は、補正対象の発光ブロックの座標ｉ、ｊを０に初期化し、ステップＳ１７１０へ進む。
ステップＳ１７１０では、色むら補正部１０３は、補正対象の発光ブロック（ｉ，ｊ）の色むら判定値ＴＵ（ｉ，ｊ）とＴＤ（ｉ，ｊ）が１かどうかを判定する。色むら補正部１０３は、色むら判定値ＴＵ（ｉ，ｊ）とＴＤ（ｉ，ｊ）の少なくともいずれかが１の場合はステップＳ１７１２へ進み、両方とも０の場合はステップＳ１７１１へ進む。
【００６２】
ステップＳ１７１１では、色むら補正部１０３は、補正対象の発光ブロック（ｉ，ｊ）は上下方向では色むらが発生しないと判定し、発光ブロック（ｉ，ｊ）の輝度制御値をそのまま発光ブロック（ｉ，ｊ）の輝度補正制御値とする。すなわち、色むら補正部１０３は、ローカルディミング制御部１０１より入力された発光ブロック（ｉ，ｊ）の各色ＬＥＤの輝度制御値を、発光ブロック（ｉ，ｊ）の各色ＬＥＤの輝度補正制御値としてそのまま出力し、ステップＳ１７１３へ進む。すなわち、色むら補正部１０３は、ＢＤ＿Ｒ（ｉ，ｊ）、ＢＤ＿Ｇ１（ｉ，ｊ）、ＢＤ＿Ｇ２（ｉ，ｊ）、ＢＤ＿Ｂ（ｉ，ｊ）をそれぞれそのままＤ＿Ｒ（ｉ，ｊ）、Ｄ＿Ｇ１（ｉ，ｊ）、Ｄ＿Ｇ２（ｉ，ｊ）、Ｄ＿Ｂ（ｉ，ｊ）として出力する。
【００６３】
ステップＳ１７１２では、色むら補正部１０３は、補正対象の発光ブロック（ｉ，ｊ）は上下方向で色むらが発生すると判定し、発光ブロック（ｉ，ｊ）に対して、色むらが発生する方向に応じた輝度補正制御値を算出し、ステップＳ１７１３に進む。
【００６４】
まず色むら判定値ＴＵ（ｉ，ｊ）が１となる場合、すなわち上方向の色むらが発生する場合の輝度補正制御値の計算方法について説明する。
この場合、色むら補正部１０３は、補正対象の発光ブロック（ｉ，ｊ）の各色ＬＥＤのうち、上隣の発光ブロック（ｉ−１，ｊ）との境界領域０１に含まれるＬＥＤ（赤色ＬＥＤ（Ｒ）と緑色ＬＥＤ（Ｇ１））の輝度補正制御値を次のように計算する。
【００６５】
色むら補正部１０３は、補正対象の発光ブロック（ｉ，ｊ）の赤色ＬＥＤの輝度補正制御値Ｄ＿Ｒ（ｉ，ｊ）を、次のように計算する。すなわち、色むら補正部１０３は、補正対象の発光ブロック（ｉ，ｊ）の赤色ＬＥＤの輝度制御値ＢＤ＿Ｒ（ｉ，ｊ）と、上隣の発光ブロック（ｉ−１，ｊ）の赤色ＬＥＤの輝度制御値ＢＤ＿Ｒ（ｉ−１，ｊ）と、を重み付け加算する。
また、色むら補正部１０３は、補正対象の発光ブロック（ｉ，ｊ）の緑色ＬＥＤ（Ｇ１）の輝度補正制御値Ｄ＿Ｇ１（ｉ，ｊ）を、次のように計算する。すなわち、色むら補正部１０３は、補正対象の発光ブロック（ｉ，ｊ）の緑色ＬＥＤ（Ｇ１）の輝度制御値ＢＤ＿Ｇ１（ｉ，ｊ）と、上隣の発光ブロック（ｉ−１，ｊ）の緑色ＬＥＤ（Ｇ１）の輝度制御値ＢＤ＿Ｇ１（ｉ−１，ｊ）と、を重み付け加算する。
【００６６】
一方、色むら補正部１０３は、補正対象の発光ブロック（ｉ，ｊ）の各色ＬＥＤのうち、上隣の発光ブロック（ｉ−１，ｊ）との境界領域０１に含まれないＬＥＤ（緑色ＬＥＤ（Ｇ２）と青色ＬＥＤ（Ｂ））の輝度補正制御値については、次のように計算する。
すなわち、色むら補正部１０３は、ローカルディミング制御部１０１から入力された補正対象の発光ブロック（ｉ，ｊ）の緑色ＬＥＤ（Ｇ２）の輝度制御値ＢＤ＿Ｇ２（ｉ，ｊ）をそのまま緑色ＬＥＤ（Ｇ２）の輝度補正制御値Ｄ＿Ｇ２（ｉ，ｊ）とする。
また、色むら補正部１０３は、ローカルディミング制御部１０１から入力された補正対象の発光ブロック（ｉ，ｊ）の青色ＬＥＤの輝度制御値ＢＤ＿Ｂ（ｉ，ｊ）をそのまま青色ＬＥＤの輝度補正制御値Ｄ＿Ｂ（ｉ，ｊ）とする。
【００６７】
ＴＵ（ｉ，ｊ）が１となる場合の輝度補正制御値の計算式を次式（２０）から（２３）に示す。
Ｄ＿Ｒ（ｉ，ｊ）＝α×ＢＤ＿Ｒ（ｉ−１，ｊ）＋（１−α）×ＢＤ＿Ｒ（ｉ，ｊ）・・・・・式（２０）
Ｄ＿Ｇ１（ｉ，ｊ）＝β×ＢＤ＿Ｇ１（ｉ−１，ｊ）＋（１−β）×ＢＤ＿Ｇ１（ｉ，ｊ）・・・・式（２１）
Ｄ＿Ｇ２（ｉ，ｊ）＝ＢＤ＿Ｇ２（ｉ，ｊ）・・・・・式（２２）
Ｄ＿Ｂ（ｉ，ｊ）＝ＢＤ＿Ｂ（ｉ，ｊ）・・・・・式（２３）
【００６８】
α及びβが１の場合、隣接発光ブロック（ｉ−１，ｊ）と、補正対象の発光ブロック（ｉ，ｊ）と隣接発光ブロック（ｉ−１，ｊ）との間の境界領域０１とで、赤色ＬＥＤの輝度比率、緑色ＬＥＤの輝度比率、青色ＬＥＤの輝度比率が等しくなる。α及びβが１より小さい場合も、隣接発光ブロック（ｉ−１，ｊ）の各色ＬＥＤの輝度比率と、補正対象の発光ブロック（ｉ，ｊ）と隣接発光ブロック（ｉ−１，ｊ）との間の境界領域０１の各色ＬＥＤの輝度比率と、がαやβの値に応じた程度で近い値になる。よって、補正対象の発光ブロック（ｉ，ｊ）において、隣接発光ブロック（ｉ−１，ｊ）からの漏れ光に起因する色むらが生じることが抑制される。
【００６９】
つぎにＴＤ（ｉ，ｊ）が１の場合の輝度補正制御値の計算式を次式（２４）から（２７）に示す。
Ｄ＿Ｒ（ｉ，ｊ）＝ＢＤ＿Ｒ（ｉ，ｊ）・・・・・式（２４）
Ｄ＿Ｇ１（ｉ，ｊ）＝ＢＤ＿Ｇ１（ｉ，ｊ）・・・・・式（２５）
Ｄ＿Ｇ２（ｉ，ｊ）＝β×ＢＤ＿Ｇ２（ｉ＋１，ｊ）＋（１−β）×ＢＤ＿Ｇ２（ｉ，ｊ）・・・・式（２６）
Ｄ＿Ｂ（ｉ，ｊ）＝γ×ＢＤ＿Ｂ（ｉ＋１，ｊ）＋（１−γ）×ＢＤ＿Ｂ（ｉ，ｊ）・
・・・式（２７）
【００７０】
ステップＳ１７１３では、色むら補正部１０３は、発光ブロックの列カウント値ｊが最大値になったかどうかを判定し、ｊが最大値ではない場合はステップＳ１７１４へ進み、ｊが最大値の場合にはステップＳ１７１５に進む。
ステップＳ１７１４では、色むら補正部１０３は、列カウント値ｊをインクリメント処理してステップＳ１７１０へ進む。
ステップＳ１７１５では、色むら補正部１０３は、行カウント値ｉが最大値になったかどうかを判定し、ｉが最大値でない場合はステップＳ１７１６へ進み、ｉが最大値の場合にはステップＳ１７１７へ進む。
ステップＳ１７１６では、色むら補正部１０３は、行カウント値ｉをインクリメント処理し、ｊを０に初期化してステップＳ１７１０へ進む。
【００７１】
ステップＳ１７１７では、色むら補正部１０３は、補正対象の発光ブロックの座標ｉ、ｊを０に初期化し、ステップＳ１７１８へ進む。
ステップＳ１７１８では、色むら補正部１０３は、補正対象の発光ブロック（ｉ，ｊ）の色むら判定値ＴＵＬ（ｉ，ｊ）、ＴＵＲ（ｉ，ｊ）、ＴＤＬ（ｉ，ｊ）、ＴＤＲ（ｉ，ｊ）が１かどうかを判定する。色むら補正部１０３は、色むら判定値ＴＵＬ（ｉ，ｊ）、ＴＵＲ（ｉ，ｊ）、ＴＤＬ（ｉ，ｊ）、ＴＤＲ（ｉ，ｊ）の少なくともいずれかが１の場合はステップＳ１７２０へ進み、全て０の場合はステップＳ１７１９へ進む。
【００７２】
ステップＳ１７１９では、色むら補正部１０３は、補正対象の発光ブロック（ｉ，ｊ）は斜め方向で色むらが発生しないと判定し、発光ブロック（ｉ，ｊ）の輝度制御値をそのまま発光ブロック（ｉ，ｊ）の輝度補正制御値とする。すなわち、色むら補正部１０３は、ローカルディミング制御部１０１より入力された発光ブロック（ｉ，ｊ）の各色ＬＥＤの輝度制御値を、発光ブロック（ｉ，ｊ）の各色ＬＥＤの輝度補正制御値としてそのまま出力し、ステップＳ１７２１へ進む。すなわち、色むら補正部１０３は、ＢＤ＿Ｒ（ｉ，ｊ）、ＢＤ＿Ｇ１（ｉ，ｊ）、ＢＤ＿Ｇ２（ｉ，ｊ）、ＢＤ＿Ｂ（ｉ，ｊ）をそれぞれそのままＤ＿Ｒ（ｉ，ｊ）、Ｄ＿Ｇ１（ｉ，ｊ）、Ｄ＿Ｇ２（ｉ，ｊ）、Ｄ＿Ｂ（ｉ，ｊ）として出力する。
【００７３】
ステップＳ１７２０では、色むら補正部１０３は、補正対象の発光ブロック（ｉ，ｊ）は斜め方向で色むらが発生すると判定し、発光ブロック（ｉ，ｊ）に対して、色むらが発生する方向に応じた輝度補正制御値を算出し、ステップＳ１７２１に進む。
【００７４】
まず色むら判定値ＴＵＬ（ｉ，ｊ）が１となる場合、すなわち斜め左上方向の色むらが発生する場合の輝度補正制御値の計算方法について説明する。
この場合、色むら補正部１０３は、補正対象の発光ブロック（ｉ，ｊ）の各色ＬＥＤのうち、左斜め上の発光ブロック（ｉ−１，ｊ−１）との境界領域００に含まれるＬＥＤ（赤色ＬＥＤ（Ｒ））の輝度補正制御値を次のように計算する。
すなわち、色むら補正部１０３は、補正対象の発光ブロック（ｉ，ｊ）の赤色ＬＥＤの輝度補正制御値Ｄ＿Ｒ（ｉ，ｊ）を、次のように計算する。すなわち、色むら補正部１０３は、補正対象の発光ブロック（ｉ，ｊ）の赤色ＬＥＤの輝度制御値ＢＤ＿Ｒ（ｉ，ｊ）と、左斜め上の発光ブロック（ｉ−１，ｊ−１）の赤色ＬＥＤの輝度制御値ＢＤ＿Ｒ（ｉ−１，ｊ−１）と、を重み付け加算する。
【００７５】
一方、色むら補正部１０３は、補正対象の発光ブロック（ｉ，ｊ）の各色ＬＥＤのうち、左斜め上の発光ブロック（ｉ−１，ｊ−１）との境界領域００に含まれないＬＥＤの輝度補正制御値については、次のように計算する。
すなわち、色むら補正部１０３は、ローカルディミング制御部１０１から入力された補正対象の発光ブロック（ｉ，ｊ）の緑色ＬＥＤ（Ｇ１）の輝度制御値ＢＤ＿Ｇ１（ｉ，ｊ）をそのまま緑色ＬＥＤ（Ｇ１）の輝度補正制御値Ｄ＿Ｇ１（ｉ，ｊ）とする。
また、色むら補正部１０３は、ローカルディミング制御部１０１から入力された補正対象の発光ブロック（ｉ，ｊ）の緑色ＬＥＤ（Ｇ２）の輝度制御値ＢＤ＿Ｇ２（ｉ，ｊ）をそのまま緑色ＬＥＤ（Ｇ２）の輝度補正制御値Ｄ＿Ｇ２（ｉ，ｊ）とする。
また、色むら補正部１０３は、ローカルディミング制御部１０１から入力された補正対象の発光ブロック（ｉ，ｊ）の青色ＬＥＤの輝度制御値ＢＤ＿Ｂ（ｉ，ｊ）をそのまま青色ＬＥＤの輝度補正制御値Ｄ＿Ｂ（ｉ，ｊ）とする。
【００７６】
ＴＵＬ（ｉ，ｊ）が１の場合の輝度補正制御値の計算式を次式（２８）から（３１）に示す。
Ｄ＿Ｒ（ｉ，ｊ）＝α×ＢＤ＿Ｒ（ｉ−１，ｊ−１）＋（１−α）×ＢＤ＿Ｒ（ｉ，ｊ）・・・・・式（２８）
Ｄ＿Ｇ１（ｉ，ｊ）＝ＢＤ＿Ｇ１（ｉ，ｊ）・・・・・式（２９）
Ｄ＿Ｇ２（ｉ，ｊ）＝ＢＤ＿Ｇ２（ｉ，ｊ）・・・・・式（３０）
Ｄ＿Ｂ（ｉ，ｊ）＝ＢＤ＿Ｂ（ｉ，ｊ）・・・・・式（３１）
【００７７】
ＴＵＲ（ｉ，ｊ）が１の場合の輝度補正制御値の計算式を次式（３２）から（３５）に示す。
Ｄ＿Ｒ（ｉ，ｊ）＝ＢＤ＿Ｒ（ｉ，ｊ）・・・・・式（３２）
Ｄ＿Ｇ１（ｉ，ｊ）＝β×ＢＤ＿Ｇ１（ｉ−１，ｊ＋１）＋（１−β）×ＢＤ＿Ｇ１（ｉ，ｊ）・・・・（３３）
Ｄ＿Ｇ２（ｉ，ｊ）＝ＢＤ＿Ｇ２（ｉ，ｊ）・・・・・式（３４）
Ｄ＿Ｂ（ｉ，ｊ）＝ＢＤ＿Ｂ（ｉ，ｊ）・・・・・式（３５）
【００７８】
ＴＤＬ（ｉ，ｊ）が１の場合の輝度補正制御値の計算式を次式（３６）から（３９）に示す。
Ｄ＿Ｒ（ｉ，ｊ）＝ＢＤ＿Ｒ（ｉ，ｊ）・・・・・式（３６）
Ｄ＿Ｇ１（ｉ，ｊ）＝ＢＤ＿Ｇ１（ｉ，ｊ）・・・・式（３７）
Ｄ＿Ｇ２（ｉ，ｊ）＝β×ＢＤ＿Ｇ２（ｉ＋１，ｊ−１）＋（１−β）×ＢＤ＿Ｇ２（ｉ，ｊ）・・・式（３８）
Ｄ＿Ｂ（ｉ，ｊ）＝ＢＤ＿Ｂ（ｉ，ｊ）・・・・・式（３９）
【００７９】
ＴＤＲ（ｉ，ｊ）が１の場合の輝度補正制御値の計算式を次式（４０）から（４３）に示す。
Ｄ＿Ｒ（ｉ，ｊ）＝ＢＤ＿Ｒ（ｉ，ｊ）・・・・・式（４０）
Ｄ＿Ｇ１（ｉ，ｊ）＝ＢＤ＿Ｇ１（ｉ，ｊ）・・・・式（４１）
Ｄ＿Ｇ２（ｉ，ｊ）＝ＢＤ＿Ｇ２（ｉ，ｊ）・・・・・式（４２）
Ｄ＿Ｂ（ｉ，ｊ）＝γ×ＢＤ＿Ｂ（ｉ＋１，ｊ＋１）＋（１−γ）×ＢＤ＿Ｂ（ｉ，ｊ）・・・・式（４３）
【００８０】
ステップＳ１７２１では、色むら補正部１０３は、発光ブロックの列カウント値ｊが最大値になったかどうかを判定し、ｊが最大値ではない場合はステップＳ１７２２へ進み、ｊが最大値の場合にはステップＳ１７２３に進む。
ステップＳ１７２２では、色むら補正部１０３は、列カウント値ｊをインクリメント処理してステップＳ１７１８へ進む。
ステップＳ１７２３では、色むら補正部１０３は、行カウント値ｉが最大値になったかどうかを判定し、ｉが最大値でない場合はステップＳ１７２４へ進み、ｉが最大値の場合にはステップＳ１７２５へ進む。
ステップＳ１７２４では、色むら補正部１０３は、行カウント値ｉをインクリメント処理し、ｊを０に初期化してステップＳ１７１８へ進む。
【００８１】
ステップＳ１７２５では、色むら補正部１０３は、バックライト制御部１０４に対して補正対象の発光ブロック（ｉ，ｊ）の輝度補正制御値Ｄ＿Ｒ（ｉ，ｊ）、Ｄ＿Ｇ１（ｉ，ｊ）、Ｄ＿Ｇ２（ｉ，ｊ）、Ｄ＿Ｂ（ｉ，ｊ）を出力する。
このようにして色むらを低減する輝度補正制御値の計算を行う。
【００８２】
次に入力される画像信号に応じて図５の色むら判定処理及び、図７の色むら補正処理を行った場合の色むら補正効果を図８の模式図を用いて説明する。
図８（ａ）は、図６（ａ）に示す色むら補正前の各発光ブロック内の各色ＬＥＤの輝度制御値（ローカルディミング制御部１０１が出力する輝度制御値）の一例を示した模式図である。
【００８３】
図８（ａ）の各発光ブロックの輝度制御値に対し、図５の色むら判定処理により計算された色むら判定値の一例を図８（ｂ）の模式図に示す。ここでは、図５の色むら判定処理において閾値ＨＲｔｈ＝０．２、ＨＧｔｈ＝０．２、ＨＢｔｈ＝０．２とする。図８（ａ）の各発光ブロックの輝度制御値では、発光ブロック（ｉ，ｊ）の輝度制御値と、隣接する発光ブロックの輝度制御値とは大きく異なる。したがって図８（ｂ）では、発光ブロック（ｉ，ｊ）以外のすべての発光ブロックが、発光ブロック（ｉ，ｊ）と隣接する方向の色むら判定値が１と判定されている。
図８（ｃ）は図８（ａ）の輝度制御値で各発光ブロックのＬＥＤを発光させた場合に色むらが生じる領域を模式的に示す図である。図８（ｃ）において、発光ブロック（ｉ，ｊ）の周囲の領域１８０２が色むらが生じる領域を示している。
【００８４】
図７の色むら補正処理により計算された各発光ブロック内の各色ＬＥＤの輝度補正制御値の模式図を図８（ｄ）に示す。ここでは、図７の色むら補正処理においてα＝１、β＝１、γ＝１とする。色むらが発生すると判定された発光ブロック（中央の発光ブロック（ｉ，ｊ）以外の８個の発光ブロック）において、色むらが発生すると判定された方向にあるＬＥＤの輝度制御値が補正されている。例えば、発光ブロック（ｉ，ｊ−１）に着目すると、図８（ｂ）より色むら判定値ＴＲ＝１であり、右方向に隣接する発光ブロック（ｉ，ｊ）からの光漏れにより色むらが発生すると判定されている。そして、着目している発光ブロック（ｉ，ｊ−１）のＬＥＤのうち、右隣の発光ブロック（ｉ，ｊ）との間の境界領域に含まれるＬＥＤは、緑色ＬＥＤ（Ｇ１）と青色ＬＥＤ（Ｂ）である。これらのＬＥＤの輝度制御値は、図８（ａ）ではそれぞれ３、１であるが、図８（ｃ）の輝度補正制御値ではそれぞれ６，２に補正されている。
【００８５】
境界領域の各色ＬＥＤの輝度補正制御値は（Ｒ，Ｇ１，Ｇ２，Ｂ）＝（６，６，６，２）となり、色むらを発生させる要因となっている右隣の発光ブロック（ｉ，ｊ）の各色ＬＥＤの輝度制御値（Ｒ，Ｇ１，Ｇ２，Ｂ）＝（６，６，６，２）と等しくなる。このため、着目している発光ブロック（ｉ，ｊ−１）における右隣の発光ブロック（ｉ，ｊ）に近い側の領域における色むらの発生が抑制される。図８（ｄ）に示す輝度補正制御値に基づ
いて各発光ブロックのＬＥＤを発光させることにより、図８（ｃ）のような色むらが発生する領域が解消される。従って、この９個の発光ブロックに対応する表示部１０６の表示領域における色むらが抑制され、高画質な表示が可能になる。
【００８６】
バックライト制御部１０４では色むら補正部１０３から入力された輝度補正制御値Ｄ＿Ｒ（ｉ，ｊ）、Ｄ＿Ｇ１（ｉ，ｊ）、Ｄ＿Ｇ２（ｉ，ｊ）、Ｄ＿Ｂ（ｉ，ｊ）を元にバックライト部１０５に対して電流を流しＬＥＤを発光させる。
次にバックライト部１０５ではバックライト制御部１０４から出力される発光ブロック毎に決定された輝度補正制御値に応じた電流値で発光する。
次に表示部１０６では入力された画像信号に基づく表示を行う。この時、表示部１０６に入力する画像信号は、色むら補正部１０３により算出された発光ブロック毎、光源毎の輝度補正制御値に応じて画像処理部１０７が補正を行った補正後の画像信号である。
【００８７】
以上のように、本実施例に係る画像表示装置は、発光ブロック毎の輝度制御値から、発光ブロック毎に色むらが発生するか否かが判定され、色むらが発生する方向が判定される。色むらが発生すると判定された発光ブロックにおいては、色むらが低減するように、色むらが発生する方向にあるＬＥＤの輝度制御値が補正される。これによりローカルディミング制御を行う画像表示装置において、輝度差のある発光ブロック同士の境界付近での色むらの発生を低減することが可能となる。
【００８８】
なお上記の実施例は本発明の実施の形態の一例であって、上記の実施例には本発明の範囲を逸脱しない範囲で種々の変更を加え得る。例えば、発光ブロックを構成する光源数は４個に限らない。また、光源の色数は、白色や黄色を含む４色、５色など、上記実施例の３色に限らない。３原色光源を用いる場合に各色光源は１個ずつであっても良い。また、発光ブロックにおける光源の配置は横２個×縦２個に限らず、三角形状や菱形状の配置も可能である。
【符号の説明】
【００８９】
１０１：ローカルディミング制御部、１０２：色むら判定部、１０３：色むら補正部、１０４：バックライト制御部、１０５：バックライト部
【図１】
2013068905.tif 000003
【図２】
2013068905.tif 000004
【図３】
2013068905.tif 000005
【図４】
2013068905.tif 000006
【図５】
2013068905.tif 000007
【図６】
2013068905.tif 000008
【図７】
2013068905.tif 000009
【図８】
2013068905.tif 000010